(57)【要約】  【課題】より簡単な構成で、原稿排出トレイに排出される原稿を外部から見えやすくし、かつ取り出しやすくする。  【解決手段】原稿が比較的小さいサイズの場合には、画像が読み取られた後の原稿を、中間トレイ１１３に排出し、この中間トレイ１１３を介して原稿排出トレイ１０４上に落下させる。中間トレイ１１３の先端部には、排出ローラ対１１３Ａを配置する。両面読み取りの際には、中間トレイ１１３を利用してスイッチバックを行う。  【効果】比較的小さいサイズの原稿は、原稿排出トレイ１０４のより下流側（中間トレイ１１３の下方の部分よりもさらに下流側（右側））に排出される。【選択図】        図２
2005335924.tif 000002
【特許請求の範囲】
【請求項１】
原稿を搬送して、その原稿の画像をスキャナで読み取らせるための原稿搬送装置であって、
原稿をセットするための原稿セットトレイと、
上記原稿セットトレイの下方に配置され、画像が読み取られた後の原稿が排出される原稿排出トレイと、
上記原稿セットトレイと上記原稿排出トレイとの間に配置された中間トレイと、
原稿のサイズが所定サイズ以上の場合には、画像が読み取られた後の原稿を、上記中間トレイを介することなく上記原稿排出トレイに排出させ、原稿のサイズが上記所定サイズ未満の場合には、画像が読み取られた後の原稿を、上記中間トレイを介して上記原稿排出トレイに排出させる原稿送り手段とを含むことを特徴とする原稿搬送装置。
【請求項２】
上記中間トレイの途中部に配置され、上記原稿送り手段によって上記中間トレイに排出される原稿を、上記原稿排出トレイへと搬送する搬送ローラを含むことを特徴とする請求項１記載の原稿搬送装置。
【請求項３】
上記原稿セットトレイから送り出されて一方面の画像が読み取られた後の原稿を、一旦、上記中間トレイ上に導き、原稿搬送方向を逆転して他方面の画像を読み取らせるためのスイッチバック手段を含むことを特徴とする請求項１または２記載の原稿搬送装置。
【請求項４】
上記原稿排出トレイには、上記中間トレイの原稿排出方向下流側の端部の下方に、上記原稿送り手段によって上記中間トレイを介して上記原稿排出トレイに排出される原稿の端部を受けるためのストッパが形成されていることを特徴とする請求項１〜３のいずれかに記載の原稿搬送装置。
【発明の詳細な説明】
【技術分野】
【０００１】
この発明は、原稿を搬送して、その原稿の画像をスキャナで読み取らせるための原稿搬送装置に関する。
【背景技術】
【０００２】
従来から、複写機などの画像形成装置には、原稿セットトレイにセットされた原稿を１枚ずつ自動的に搬送して、その原稿の画像をスキャナで読み取らせるための原稿搬送装置を備えたものがある。
図１は、従来の原稿搬送装置１の構成例を示す断面図である。
図１を参照して、この原稿搬送装置１では、原稿セットトレイ２上に原稿がセットされた状態で画像形成装置の運転が開始されることにより、原稿が１枚ずつ自動的に搬送され、原稿が読取位置３を通過する過程で、スキャナ（図示せず）によって原稿の画像が読み取られるようになっている。この原稿搬送装置１は、一方面にのみ画像が記録された原稿（片面原稿）を搬送して、その一方面の画像のみをスキャナで読み取らせること（片面読み取り）もできるし、両面に画像が記録された原稿（両面原稿）を搬送して、その一方面の画像をスキャナで読み取らせた後、その原稿を表裏反転させて、他方面の画像をスキャナで読み取らせること（両面読み取り）もできる。画像が読み取られた後の原稿は、原稿セットトレイ２の下方に配置された原稿排出トレイ４に排出される。
【０００３】
原稿搬送装置１は、ピックアップローラ５と、ピックアップローラ５に対して原稿搬送方向下流側に配置された給紙ローラ対６と、給紙ローラ対６の下流側に配置され、原稿を読取位置３に向かって所定のタイミングで送り出すためのレジストローラ対７と、原稿排出トレイ４の直上流側に配置された排出ローラ対８とを備えている。
１ないし複数枚の原稿が、先端を原稿ストッパ９に当接させた状態で原稿セットトレイ２上にセットされ、画像形成装置の運転が開始されると、まず、ピックアップローラ５が下方に移動し、当該ピックアップローラ５の表面が、原稿セットトレイ２にセットされている原稿（複数枚の原稿が束ねられてセットされている場合には、最も上にある原稿）の上面に当接する。そして、ピックアップローラ５が、図１における時計回りに回転されることにより、原稿が上から１枚ずつ給紙ローラ対６側へと搬送される。
【０００４】
ピックアップローラ５において原稿が重送された場合には、給紙ローラ対６を通過する過程で、１枚目（最も上にある原稿）の原稿から２枚目以降の原稿が切り離され、１枚目の原稿だけが下流側へと搬送されるようになっている。給紙ローラ対６から送り出された原稿は、原稿搬送路１０を通ってレジストローラ対７へと搬送され、その先端部がレジストローラ対７に到達した時点で、レジストローラ対７が一旦停止される。その後、原稿の読み取りを行うべきタイミングに応じてレジストローラ対７の回転が再開されることにより、原稿が読取位置３側へと送られ、この読取位置３を通過する過程で、原稿の画像がスキャナによって連続的に読み取られる。
【０００５】
原稿搬送路１０の読取位置３よりも下流側には、分岐爪１６が変位可能に配置されている。分岐爪１６の下方には、原稿搬送路１１が形成されており、分岐爪１６の上方には、原稿搬送路１２が形成されている。分岐爪１６が図１に示すような姿勢のときには、原稿搬送路１０の終端が原稿搬送路１１に連通し、原稿搬送路１０を通って送られてくる原稿が、原稿搬送路１１に導かれる。一方、分岐爪１６が、図１に示すような姿勢から、その左端部（読取位置３側の端部）が低くなるように変位すると、原稿搬送路１０の終端が原稿搬送路１２に連通し、原稿搬送路１０を通って送られてくる原稿が、原稿搬送路１２に導かれる。排出ローラ対８は、原稿搬送路１１の終端部近傍に配置されていて、片面読み取りの場合には、読取位置３で画像が読み取られた後の原稿は、原稿搬送路１１を通って排出ローラ対８から原稿排出トレイ４に排出される。
【０００６】
原稿セットトレイ２と原稿排出トレイ４との間には、両面読み取りの際に用いられる中間トレイ１３が配置されている。この中間トレイ１３は、原稿セットトレイ２の直下方に位置しており、その左右方向の長さが原稿セットトレイ２とほぼ同じ長さ（若干短い程度）となっている。原稿搬送路１２の終端は中間トレイ１３に臨んでおり、その終端部近傍には、原稿搬送路１２へと搬送されてきた原稿を中間トレイ１３上に送り出すための搬送ローラ対１４が配置されている。
【０００７】
両面読み取りの場合には、原稿セットトレイ２から原稿搬送路１０を介して読取位置３へと搬送された原稿は、その一方面（第１面）の画像がスキャナで読み取られることなく読取位置３を通過し、原稿搬送路１２を通って搬送ローラ対１４から中間トレイ１３へと導かれる。このとき、中間トレイ１３に導かれる原稿は、上記一方面が下を向いた状態となっている。そして、原稿の後端部が搬送ローラ対１４に到達すると、搬送ローラ対１４の回転方向が逆転され、原稿が原稿搬送路１０の途中部（読取位置３よりも上流側）に接続された原稿搬送路１５へと導かれる（いわゆるスイッチバック）。原稿搬送路１５を通って原稿搬送路１０へ導かれた原稿は、レジストローラ対７により所定のタイミングで読取位置３へと搬送され、他方面（第２面）の画像がスキャナによって読み取られる。
【０００８】
他方面の画像が読み取られた後の原稿は、再び原稿搬送路１２を通って搬送ローラ対１４から中間トレイ１３へと導かれる。このとき、中間トレイ１３に導かれる原稿は、上記他方面が下を向いた状態となっている。そして、原稿の後端部が搬送ローラ対１４に到達すると、搬送ローラ対１４の回転方向が逆転され、原稿が原稿搬送路１５へと導かれる。原稿搬送路１５を通って原稿搬送路１０へ導かれた原稿は、レジストローラ対７により所定のタイミングで読取位置３へと搬送され、一方面（第１面）の画像がスキャナによって読み取られた後、原稿搬送路１１を通って排出ローラ対８から原稿排出トレイ４に排出される。
【０００９】
上記のように、原稿の第２面の画像を読み取った後に第１面の画像を読み取るような構成とすることにより、第１面が下を向いた状態で原稿を原稿排出トレイ４に排出することができる。したがって、複数枚の原稿を原稿セットトレイ２にセットして連続で読み取った場合でも、原稿排出トレイ４に排出される原稿のページの順序を、原稿セットトレイ２に重ねてセットされたときの順序と同じ順序にすることができる。
【００１０】
しかしながら、上記のような原稿搬送装置１では、比較的小さいサイズの原稿の画像を読み取った場合に、原稿排出トレイ４に排出された原稿が外部から見えにくく、また、取り出しにくいという問題があった。すなわち、原稿セットトレイ２は、読み取り可能な最大サイズ（たとえば、Ａ３サイズなど）の原稿を良好に載置できる程度の大きさに形成されているため、比較的小さいサイズ（たとえば、Ｂ５サイズなど）の原稿が原稿排出トレイ４に排出された場合には、原稿の先端部（右端部）が、原稿セットトレイ２の先端部（右端部）よりもかなり左側に入り込んだ状態となり、上記のような問題が生じる。
【００１１】
このような問題を解決するために、特許文献１では、２つの原稿排出トレイを設けて、原稿のサイズに応じた原稿排出トレイに原稿を排出するような構成が開示されている。
【特許文献１】特開２００２−３３８１２４号公報
【発明の開示】
【発明が解決しようとする課題】
【００１２】
しかしながら、特許文献１に開示されているような構成では、原稿搬送装置の下部に、原稿排出トレイへと原稿を搬送するための原稿搬送路やローラ等が配置された複雑な構造を採用している。このため、原稿搬送装置の製造コストが高くなるとともに、原稿搬送路内で紙詰まり（いわゆるジャム）が生じた場合に、詰まった原稿を取り出すための作業が煩雑になるという問題がある。
【００１３】
この発明は、かかる背景のもとでなされたもので、より簡単な構成で、原稿排出トレイに排出される原稿を外部から見えやすくし、かつ取り出しやすくすることができる原稿搬送装置を提供することを目的とする。
【課題を解決するための手段】
【００１４】
上記目的を達成するための請求項１記載の発明は、原稿を搬送して、その原稿の画像をスキャナで読み取らせるための原稿搬送装置（１０１）であって、原稿をセットするための原稿セットトレイ（１０２）と、上記原稿セットトレイの下方に配置され、画像が読み取られた後の原稿が排出される原稿排出トレイ（１０４）と、上記原稿セットトレイと上記原稿排出トレイとの間に配置された中間トレイ（１１３）と、原稿のサイズが所定サイズ以上の場合には、画像が読み取られた後の原稿を、上記中間トレイを介することなく上記原稿排出トレイに排出させ、原稿のサイズが上記所定サイズ未満の場合には、画像が読み取られた後の原稿を、上記中間トレイを介して上記原稿排出トレイに排出させる原稿送り手段（１０８，１１１，１１２，１１４，１１６）とを含むことを特徴とする原稿搬送装置である。
【００１５】
なお、括弧内の英数字は、後述の実施形態における対応構成要素などを表す。以下、この項において同じ。
この構成によれば、原稿が比較的小さいサイズ（所定サイズ未満）の場合には、画像が読み取られた後の原稿は、中間トレイに排出され、この中間トレイを介して原稿排出トレイ上に落下する。これにより、比較的小さいサイズの原稿は、原稿排出トレイのより下流側（中間トレイの下方の部分よりもさらに下流側）に排出されることとなる。したがって、中間トレイを介して原稿排出トレイに原稿を排出させるという簡単な構成で、原稿排出トレイに排出される原稿を外部から見えやすくし、かつ取り出しやすくすることができる。
【００１６】
請求項２記載の発明は、上記中間トレイ（１１３）の途中部（たとえば、原稿排出方向下流側）に配置され、上記原稿送り手段（１０８，１１１，１１２，１１４，１１６）によって上記中間トレイに排出される原稿を、上記原稿排出トレイ（１０４）へと搬送する搬送ローラ（１１３Ａ）を含むことを特徴とする請求項１記載の原稿搬送装置（１０１）である。
【００１７】
この構成によれば、中間トレイに排出される比較的小さいサイズの原稿を、搬送ローラの働きによって、原稿排出トレイ側へと良好に搬送することができる。
請求項３記載の発明は、上記原稿セットトレイ（１０２）から送り出されて一方面の画像が読み取られた後の原稿を、一旦、上記中間トレイ（１１３）上に導き、原稿搬送方向を逆転して他方面の画像を読み取らせるためのスイッチバック手段（１１２，１１４，１１５，１１６）を含むことを特徴とする請求項１または２記載の原稿搬送装置（１０１）である。
【００１８】
この構成によれば、両面読み取りの際に用いる中間トレイを利用して、比較的小さいサイズの原稿を、その中間トレイを介して原稿排出トレイに排出することができる。したがって、より簡単な構成で、原稿排出トレイに排出される原稿を外部から見えやすくし、かつ取り出しやすくすることができる。
請求項４記載の発明は、上記原稿排出トレイ（１０４）には、上記中間トレイ（１１３）の原稿排出方向下流側の端部の下方に、上記原稿送り手段（１０８，１１１，１１２，１１４，１１６）によって上記中間トレイを介して上記原稿排出トレイに排出される原稿の端部を受けるためのストッパ（１０４Ａ）が形成されていることを特徴とする請求項１〜３のいずれかに記載の原稿搬送装置（１０１）である。
【００１９】
この構成によれば、比較的小さいサイズの原稿は、原稿排出トレイのより下流側（中間トレイの下方の部分よりもさらに下流側）に排出され、その端部がストッパで受けられることとなる。したがって、中間トレイを介して原稿排出トレイに排出される原稿の端部をストッパで揃えて、良好に保持することができる。
【発明を実施するための最良の形態】
【００２０】
以下には、図面を参照して、この発明の実施形態について具体的に説明する。
図２は、この発明の一実施形態に係る原稿搬送装置１０１の構成を示す断面図である。
図２を参照して、この原稿搬送装置１０１は、複写機などの画像形成装置に備えられ、原稿セットトレイ１０２にセットされた原稿を１枚ずつ自動的に搬送して、その原稿の画像をスキャナ（図示せず）で読み取らせた後、原稿排出トレイ１０４に排出するものである。この原稿搬送装置１０１は、図１において説明した従来の原稿搬送装置１と同様に、ピックアップローラ１０５と、ピックアップローラ１０５に対して原稿搬送方向下流側に配置された給紙ローラ対１０６と、給紙ローラ対１０６の下流側に配置され、原稿を読取位置１０３に向かって所定のタイミングで送り出すためのレジストローラ対１０７と、原稿排出トレイ１０４の直上流側に配置された排出ローラ対１０８とを備えている。
【００２１】
１ないし複数枚の原稿が、先端を原稿ストッパ１０９に当接させた状態で原稿セットトレイ１０２上にセットされ、画像形成装置の運転が開始されると、まず、ピックアップローラ１０５が下方に移動し、当該ピックアップローラ１０５の表面が、原稿セットトレイ１０２にセットされている原稿（複数枚の原稿が束ねられてセットされている場合には、最も上にある原稿）の上面に当接する。そして、ピックアップローラ１０５が、図２における時計回りに回転されることにより、原稿が上から１枚ずつ給紙ローラ対１０６側へと搬送される。
【００２２】
ピックアップローラ１０５において原稿が重送された場合には、給紙ローラ対１０６を通過する過程で、１枚目（最も上にある原稿）の原稿から２枚目以降の原稿が切り離され、１枚目の原稿だけが下流側へと搬送されるようになっている。給紙ローラ対１０６から送り出された原稿は、原稿搬送路１１０を通ってレジストローラ対１０７へと搬送され、その先端部がレジストローラ対１０７に到達した時点で、レジストローラ対１０７が一旦停止される。その後、原稿の読み取りを行うべきタイミングに応じてレジストローラ対１０７の回転が再開されることにより、原稿が読取位置１０３側へと送られ、この読取位置１０３を通過する過程で、原稿の画像がスキャナによって連続的に読み取られる。
【００２３】
原稿搬送路１１０の読取位置１０３よりも下流側には、分岐爪１１６が変位可能に配置されている。分岐爪１１６の下方には、原稿搬送路１１１が形成されており、分岐爪１１６の上方には、原稿搬送路１１２が形成されている。分岐爪１１６が図２に示すような姿勢のときには、原稿搬送路１１０の終端が原稿搬送路１１１に連通し、原稿搬送路１１０を通って送られてくる原稿が、原稿搬送路１１１に導かれる。一方、分岐爪１１６が、図２に示すような姿勢から、その左端部（読取位置１０３側の端部）が低くなるように変位すると、原稿搬送路１１０の終端が原稿搬送路１１２に連通し、原稿搬送路１１０を通って送られてくる原稿が、原稿搬送路１１２に導かれる。排出ローラ対１０８は、原稿搬送路１１１の終端部近傍に配置されている。原稿搬送路１１２の終端は、原稿セットトレイ１０２と原稿排出トレイ１０４との間（原稿セットトレイ１０２の直下方）に配置された中間トレイ１１３に臨んでおり、その終端部近傍には、原稿搬送路１１２へと搬送されてきた原稿を中間トレイ１１３上に送り出すための搬送ローラ対１１４が配置されている。中間トレイ１１３は、その左右方向の長さが、図１において説明した従来の原稿搬送装置１の中間トレイ１３よりも短く、その先端（右端）が、原稿セットトレイ１０２の左右方向中央部に位置している。
【００２４】
この実施形態に係る原稿搬送装置１０１の特徴の１つは、読取位置１０３で画像が読み取られた後の原稿を、そのサイズに応じて分岐爪１１６を変位させることにより、原稿搬送路１１１または原稿搬送路１１２に搬送するようになっている点にある。すなわち、片面読み取りの場合において、原稿のサイズが所定サイズ以下（たとえば、Ｂ５サイズ以下）であるときには、読取位置１０３で画像が読み取られた後の原稿は、原稿搬送路１１２を通って搬送ローラ対１１４から中間トレイ１１３上に排出される。中間トレイ１１３の先端部（右端部）には、中間トレイ１１３上に排出された原稿をさらに右方へと搬送し、中間トレイ１１３の右端から原稿排出トレイ１０４上に排出（落下）させるための排出ローラ対１１３Ａが配置されている。したがって、中間トレイ１１３上に排出された原稿は、中間トレイ１１３および排出ローラ対１１３Ａを介して原稿排出トレイ１０４に排出されることとなる。
【００２５】
ここで、排出ローラ対１１３Ａの配置位置についてより具体的に説明すると、排出ローラ対１１３Ａと搬送ローラ対１１４との距離は、当該画像形成装置において使用可能な最小サイズの用紙（たとえば、Ａ６サイズ）の長さよりも短く設定されている。したがって、上記所定サイズ以下のいずれのサイズの原稿が中間トレイに排出された場合でも、その原稿を排出ローラ対１１３Ａに確実に到達させ、原稿排出トレイ１０４へと良好に排出させることができる。
【００２６】
また、排出ローラ対１１３Ａは、伝達ベルトなどの連動機構を介して搬送ローラ対１１４に連結されていて、搬送ローラ対１１４が回転されると、それに同期して排出ローラ対１１３Ａが回転するようになっている。
一方、片面読み取りの場合において、原稿のサイズが上記所定サイズよりも大きいとき（たとえば、Ａ４サイズ以上）には、読取位置１０３で画像が読み取られた後の原稿は、原稿搬送路１１１を通って排出ローラ対１０８から原稿排出トレイ１０４に排出される。
【００２７】
両面読み取りの場合には、原稿セットトレイ１０２から原稿搬送路１１０を介して読取位置１０３へと搬送された原稿は、その一方面（第１面）の画像がスキャナで読み取られることなく読取位置１０３を通過し、原稿搬送路１１２を通って搬送ローラ対１１４から中間トレイ１１３へと導かれる。このとき、中間トレイ１１３に導かれる原稿は、上記一方面が下を向いた状態となっている。そして、原稿の後端部が搬送ローラ対１１４に到達すると、搬送ローラ対１１４の回転方向が逆転され、原稿が原稿搬送路１１０の途中部（読取位置１０３よりも上流側）に接続された原稿搬送路１１５へと導かれる（いわゆるスイッチバック）。原稿搬送路１１５を通って原稿搬送路１１０へ導かれた原稿は、レジストローラ対１０７により所定のタイミングで読取位置１０３へと搬送され、他方面（第２面）の画像がスキャナによって読み取られる。
【００２８】
他方面の画像が読み取られた後の原稿は、再び原稿搬送路１１２を通って搬送ローラ対１１４から中間トレイ１１３へと導かれる。このとき、中間トレイ１１３に導かれる原稿は、上記他方面が下を向いた状態となっている。そして、原稿の後端部が搬送ローラ対１１４に到達すると、搬送ローラ対１１４の回転方向が逆転され、原稿が原稿搬送路１１５へと導かれる。原稿搬送路１１５を通って原稿搬送路１１０へ導かれた原稿は、レジストローラ対１０７により所定のタイミングで読取位置１０３へと搬送され、一方面（第１面）の画像がスキャナによって読み取られる。
【００２９】
その後、原稿のサイズが所定サイズ以下（たとえば、Ｂ５サイズ以下）であるときには、読取位置１０３で画像が読み取られた後の原稿は、原稿搬送路１１２を通って搬送ローラ対１１４から中間トレイ１１３上に排出され、中間トレイ１１３および排出ローラ対１１３Ａを介して原稿排出トレイ１０４に排出されることとなる。一方、原稿のサイズが上記所定サイズよりも大きいときには、読取位置１０３で画像が読み取られた後の原稿は、原稿搬送路１１１を通って排出ローラ対１０８から原稿排出トレイ１０４に排出される。上記のように、原稿の第２面の画像を読み取った後に第１面の画像を読み取るような構成とすることにより、第１面が下を向いた状態で原稿を原稿排出トレイ１０４に排出することができる。したがって、複数枚の原稿を原稿セットトレイ１０２にセットして連続で読み取った場合でも、原稿排出トレイ１０４に排出される原稿のページの順序を、原稿セットトレイ１０２に重ねてセットされたときの順序と同じ順序にすることができる。
【００３０】
この実施形態では、原稿が比較的小さいサイズ（たとえば、Ｂ５サイズ以下）の場合には、画像が読み取られた後の原稿は、中間トレイ１１３に排出され、この中間トレイ１１３を介して原稿排出トレイ１０４上に落下する。これにより、比較的小さいサイズの原稿は、原稿排出トレイ１０４のより下流側（中間トレイ１１３の下方の部分よりもさらに下流側（右側））に排出されることとなる。したがって、中間トレイ１１３を介して原稿排出トレイ１０４に原稿を排出させるという簡単な構成で、原稿排出トレイ１０４に排出される原稿を外部から見えやすくし、かつ取り出しやすくすることができる。
【００３１】
特に、中間トレイ１１３の先端部に排出ローラ対１１３Ａが配置されているので、中間トレイ１１３に排出される比較的小さいサイズの原稿を、排出ローラ対１１３Ａの働きによって、原稿排出トレイ１０４側へと良好に搬送することができる。
また、両面読み取りの際に用いる中間トレイ１１３を利用して、比較的小さいサイズの原稿を、その中間トレイ１１３を介して原稿排出トレイ１０４に排出することができるので、より簡単な構成で、原稿排出トレイ１０４に排出される原稿を外部から見えやすくし、かつ取り出しやすくすることができる。
【００３２】
この実施形態では、原稿排出トレイ１０４には、中間トレイ１１３の先端部の下方に、上下方向に延びる段差面１０４Ａが形成されており、この段差面１０４Ａよりも右側には、その左端が段差面１０４Ａの下端に接続され、右方に向かうにつれて徐々に高くなるように傾斜した傾斜面１０４Ｂが形成されている。このような構成により、中間トレイ１１３を介して原稿排出トレイ１０４に排出される比較的小さいサイズの原稿は、原稿排出トレイ１０４のより下流側（中間トレイ１１３の下方の部分よりもさらに下流側（右側））に排出され、その端部（左端部）が段差面１０４Ａで受けられることとなる。したがって、中間トレイ１１３を介して原稿排出トレイ１０４に排出される原稿の端部を段差面１０４Ａで揃えて、良好に保持することができる。
【００３３】
この発明は、以上の実施形態の内容に限定されるものではなく、請求項記載の範囲内において種々の変更が可能である。
たとえば、中間トレイ１１３の長さは、上記のような長さに限らず、中間トレイ１１３を介して原稿排出トレイ１０４に排出される原稿のサイズに応じた長さ（たとえば、原稿を中間トレイ１１３から原稿排出トレイ１０４へと良好に落下させることができる程度の長さ）にすることが好ましい。
【００３４】
排出ローラ対１１３Ａは、中間トレイ１１３の先端部に限らず、中間トレイ１１３の途中部の他の位置に設けられていてもよいし、排出ローラ対１１３Ａを省略した構成であってもよい。
また、原稿搬送装置１０１は、両面読み取り機能（スイッチバック機能）を有していないものであってもよい。
【図面の簡単な説明】
【００３５】
【図１】従来の原稿搬送装置の構成例を示す断面図である。
【図２】この発明の一実施形態に係る原稿搬送装置の構成を示す断面図である。
【符号の説明】
【００３６】
１０１  原稿搬送装置
１０２  原稿セットトレイ
１０４  原稿排出トレイ
１０４Ａ  段差面
１０８  排出ローラ対
１１１  原稿搬送路
１１２  原稿搬送路
１１３  中間トレイ
１１３Ａ  排出ローラ対
１１４  搬送ローラ対
１１５  原稿搬送路
１１６  分岐爪
【図１】
2005335924.tif 000003
【図２】
2005335924.tif 000004